(57)【要約】【課題】横長表示パネルの大画面表示を有効利用することができ、迫力のある画像を表示することができる表示装置を提供すること。【解決手段】表示装置１００の制御部５００は、入力検出部５３０，５４０からの入力検出情報（入力の有無、画像終了、入力数）及び解像度検出部５５０，５６０からのソースの解像度情報を取得するとともに、記憶部５１０から各種設定情報及び解像度−拡大縮小テーブル５１０ａを参照して、ソースの解像度に応じた拡大縮小率を取得し、さらに記憶部５１０から表示パネル１１０の解像度を読み込んで黒画素挿入位置・挿入数を算出して２画面合成部５９０に指示し、２画面合成部５９０は、制御部５００から１画面表示指示により黒画素挿入位置と挿入数を取得して拡大縮小後の画像に挿入し、画像の解像度の水平垂直の拡大縮小率を取得して拡大縮小を行う。【選択図】図３
2007292812.tif 000002
【特許請求の範囲】
【請求項１】
画像を表示画面に表示する表示手段と、
複数の画像入力を検出する画像入力検出手段と、
前記画像入力検出手段によりいずれかの画像の入力がなくなったことが検出されたとき、入力がなくなった画像を表示していた前記表示画面の画面上に、入力が継続している画像を伸張して表示する制御手段と
を備えることを特徴とする表示装置。
【請求項２】
画像の解像度を検出する解像度検出手段と、
画像の解像度と拡大縮小率とを対応付けるテーブルとを備え、
前記制御手段は、前記入力が継続している画像の解像度を基に、前記テーブルを参照して拡大又は縮小率を算出し、算出された拡大縮小率により画像を表示することを検出することを特徴とする請求項１記載の表示装置。
【請求項３】
黒画素挿入位置及び挿入数を設定する黒画素設定手段を備え、
前記制御手段は、前記黒画素設定により設定された黒画素を表示することを特徴とする請求項１記載の表示装置。
【発明の詳細な説明】
【技術分野】
【０００１】
本発明は、複数の画像（映像を含む）を表示可能な表示装置に関し、特に、車両の車室内で画像を表示する表示装置に関する。
【背景技術】
【０００２】
近年、デジタル技術、通信技術の進歩に伴い、車載用の電子機器も多種多様なものが開発されている。特に、ナビゲーションシステム、ＤＶＤ（Digital Versatile Disk）プレーヤ及びテレビ受信機のように、ＬＣＤ等の表示器を利用して、ＣＤ−ＲＯＭやＤＶＤ等の記録媒体に記録された画像、テレビジョン放送の画像等を表示できる表示装置が広く普及してきている。
【０００３】
また、最近では車両の高級化や大型化に伴って、２つのディスプレイ装置が接続された車載用装置もある。例えば、一方のディスプレイ装置を運転席と助手席の間に設置し、他方のディスプレイ装置を後部座席の前方に設置することにより、運転者や助手席の搭乗者のみならず、後部座席の搭乗者もディスプレイ装置に表示された各種の情報を見ることができるようになっている。
【０００４】
例えば、特許文献１には、操作機器を認識する機器認識手段と操作機器に対応した画像信号を出力する画像信号出力手段とを備え、任意の操作機器を操作することで、車両の後部座席の搭乗者でも容易に操作することができる車載用の表示装置が記載されている。
【０００５】
また、従来、複数の画像を個別的に画像処理した後、画像処理後の画像を横方向に拡大して表示可能な車載ディスプレイがある。
【特許文献１】特開２００４−３１７４１２号公報
【発明の開示】
【発明が解決しようとする課題】
【０００６】
しかしながら、このような従来の車載用の表示装置にあっては、２画面表示していた画像１と画像２のうち一方の画像が終了したときなど、画像入力がない画面には何も表示されず表示画面の有効利用がなされていないという問題点があった。
【０００７】
例えば、車載用の表示装置の大型化と高精細化に伴って、表示装置に２画面以上の表示画面を表示することが可能になっており、一方の表示画面で例えばテレビ画面表示を、他方の表示画面でＤＶＤ画像を再生することができる。
【０００８】
図１６は、車両の車室内で複数の画像を表示可能な表示装置の表示例を説明する図である。
【０００９】
図１６において、１０は車両の車室内に設置された後部座席用の表示装置であり、表示装置１０は、縦４８０ドット×横１６００（８００＋８００）ドットの横長表示パネル１１を備える。
【００１０】
図１６（ａ）では、横長表示パネル１１に２つの入力画像（画像１，画像２）が２画面２１，２２にそれぞれ表示され、左座席の観視者が観視する画面２１には画像１が、右座席の観視者が観視する画面２２には画像２が表示されている。
【００１１】
いま、画像２が終了したときなど入力画像２の信号入力がなくなると、図１６（ｂ）に示すように、画面２２は入力信号無しの黒画面となる。同様に、画像１が終了したときなど入力画像１の信号入力がなくなると、図１６（ｃ）に示すように、画面２１は入力信号無しの黒画面となる。ＤＶＤ再生の終了、ＴＶのＯＦＦなどで一方の入力画像信号がなくなることは比較的頻繁に発生する。このような場合、画像入力がない画面は、黒画面となるだけで、迫力のない画像が表示されることになり、折角の横長表示パネル１１の大画面表示が活用されていなかった。
【００１２】
本発明は、かかる点に鑑みてなされたものであり、横長表示パネルの大画面表示を有効利用することができ、迫力のある画像を表示することができる表示装置を提供することを目的とする。
【課題を解決するための手段】
【００１３】
本発明の表示装置は、画像を表示画面に表示する表示手段と、複数の画像入力を検出する画像入力検出手段と、前記画像入力検出手段によりいずれかの画像の入力がなくなったことが検出されたとき、入力がなくなった画像を表示していた前記表示画面の画面上に、入力が継続している画像を伸張して表示する制御手段とを備える構成を採る。
【発明の効果】
【００１４】
本発明によれば、表示パネルの表示を有効利用することができ、画像入力が継続している画像について迫力のある画像を表示することができる。
【発明を実施するための最良の形態】
【００１５】
以下、本発明の実施の形態について図面を参照して詳細に説明する。
【００１６】
（実施の形態１）
図１は、本発明の実施の形態１に係る表示装置の外観構成を示す図、図２は、車両の後部に設置された表示装置を上方から見た模式図である。本実施の形態は複数の画像を表示可能な表示装置として車両の後部座席用の表示装置に適用した例である。
【００１７】
図１及び図２において、１００は車両の車室内に設置された後部座席用の表示装置、２００は表示装置１００の表示画面を観視する観視者Ａ，Ｂが着座する後部座席、３０１，３０２は後部座席２００内に設置され、観視者Ａ，Ｂの着座状態を検出する着座センサである。
【００１８】
表示装置１００は、大型横長のＬＣＤパネル等から構成され、後方後部座席２００に着座した観視者Ａ，Ｂが目視できる箇所に設置される。後部座席に座った人も画像を楽しめる設置箇所として、例えば車室内の天井部の中央付近に固定して取付けられる。表示装置１００は、通常の表示装置では使用例がないような超ワイドＬＣＤディスプレイにより構成される。図１中の数値はその実寸例であり単位はｍｍである。ＬＣＤパネルを大型化すれば、後部座席に座った人にとってはより画像が観視しやすくなることは言うまでもないが、運転者からみて後方視界を遮るようなことがあってはならずその解決策の一つとして車載用の超ワイドＬＣＤディスプレイを今回新たに開発し採用している。また、ワイドＬＣＤディスプレイでは、２画面以上の画面を並べて表示する場合にも特に適している。超ワイドＬＣＤディスプレイの解像度を１６００×４８０画素とすることで、カーナビゲーションで特に用いられる８００×４８０の画像の２画面表示に有効である。表示装置１００には、例えばテレビチューナ、ＶＴＲ再生機，ＤＶＤ（Digital Versatile Disk）プレーヤ，カーナビゲーション等の画像再生機器が接続されて、後席の観視者Ａ，Ｂが各種画像と音声を楽しむことができる。図１中、表示装置１００は、画像ソース１（以下、画像１という）を入力する例えばＤ端子からなる画像入力端子１０１と、画像ソース２（以下、画像２という）を入力する例えばコンポジット端子からなる画像入力端子１０２と、画像１の１画面表示ボタン，画像２の１画面表示ボタン，２画面表示ボタン，自動検出ボタンを有する操作部１２０とを備える。なお、操作部１２０はボタンに限られず、リモートコントローラ（以下、リモコンという）による信号やナビからの入力を受信する受信部でもよい。
【００１９】
画像入力端子１０１，１０２は、表示装置１００本体（例えば、筐体下部）に設けられ、画像ソースを入力する画像入力端子である。画像信号が入力可能な画像入力端子であればどのような入力端子でもよく、例えばＤ端子である。ＲＣＡコンポジット端子、ＨＤＭＩ端子、アナログＲＧＢ端子、ＤＶＩ端子、ＵＳＢ端子など画像伝送可能な伝送路で画像信号を入力可能な端子であれば同様に適用可能である。
【００２０】
操作部１２０は、「画像１の１画面表示」「画像２の１画面表示」「２画面表示」「自動検出」を区別することが可能な４つのボタンのほか、各種操作ボタンやスイッチを備える。例えば、テレビのチャンネル切り替えやＤＶＤ再生等の操作、音量調整用操作などは操作部１２０上の該当ボタンにより行われる。また、図示は省略するが、後席用に設置された表示装置１００の表示画像に伴う音声は、車室内のスピーカや後席乗員Ａ，Ｂが装着するヘッドホンやイヤホン等に出力される。
【００２１】
表示装置１００の設置態様としては、車内の天井吊り下げのほか、前部座席のヘッドレストや前部座席背面への埋め込み、コンソールボックスあるいはフロア面に据え置くなど、種々の態様がある。いずれにしても、運転者の後方視界を遮らないことが設置の大前提である。後部座席に座った人が、操作部１２０の操作ボタン等で再生画像の種類選択、チャンネル切り替え、画面の角度や位置、音量の調整等の操作を行う。
【００２２】
着座センサ３０１，３０２は、車の後部座席に設けられた接点スイッチ等からなる着座センサであり、乗員が座席に着座した場合に着座検出信号を発生し、着座状態情報として表示装置１００に送信する。着座センサ３０１，３０２は、後部座席２００長手方向に複数（本実施の形態では、２つ）配置しておくことにより、各乗員の着座位置を検出する。着座センサ３０１，３０２は、３以上設けてもよいことは言うまでもない。また、接点スイッチ等からなる着座センサに代えて、圧電素子を用いた圧力センサや、重量センサ、車室内の放射温度検知による人体検知センサや、車室内の状態を画像で監視する監視カメラ等を利用したものであってもよい。さらに、着座センサ３０１は、シートベルト装着部に設置したスイッチ（例えば接点スイッチ）でもよく、シートベルト装着の有無を検出することにより、座席左側の乗員（観視者）Ａの着座の有無を検出する。同様に、着座センサ３０２は、シートベルト装着部に設置したスイッチでもよく、シートベルト装着の有無を検出することにより、座席右側の乗員（観視者）Ｂの着座の有無を検出する。
【００２３】
図３は、上記表示装置１００の構成を示すブロック図である。
【００２４】
図３において、表示装置１００は、マイクロプロセッサからなり装置全体の表示制御を行うとともに、入力検出部５３０，５４０からの入力検出情報及び解像度検出部５５０，５６０からのソースの解像度情報を取得するとともに、記憶部５１０から各種設定情報及び解像度−拡大縮小テーブル５１０ａを参照して画像ソースによる画面表示処理を行って２画面合成部５９０の画像合成を制御する制御部５００と、マイクロプロセッサで実行する制御プログラム及び表示制御のための各種設定情報を記憶する半導体メモリからなる記憶部５１０と、ボタンスイッチの押下等の操作情報を出力する操作部１２０と、着座センサ３０１，３０２からなり検出した観視者位置情報Ｉｐを出力する観視者位置読出部５２０と、画像１を入力する画像入力端子１０１と、画像２を入力する画像入力端子１０２と、画像入力端子１０１に入力される画像１の入力信号を検出する入力検出部５３０（入力検出部<１>）と、画像入力端子１０２に入力される画像２の入力信号を検出する入力検出部５４０（入力検出部<２>）と、画像入力端子１０１に入力される画像１の解像度を検出する解像度検出部５５０（解像度検出部<１>）と、画像入力端子１０２に入力される画像２の解像度を検出する解像度検出部５６０（解像度検出部<２>）と、画像入力端子１０１に入力される画像信号Ｓｉ１を画像処理パラメータＶｃ１に従って信号処理する画像処理部５７０（画像処理部<１>）と、画像入力端子１０２に入力される画像信号Ｓｉ２を画像処理パラメータＶｃ２に従って信号処理する画像処理部５８０（画像処理部<２>）と、制御部５００の制御信号に基づいて画像処理部５７０，５８０の処理後画像信号Ｓｏ１，Ｓｏ２を画面合成し、画面合成した表示用画像信号Ｓｃ出力する２画面合成部５９０と、２画面合成部５９０から出力される表示用画像信号Ｓｃを表示する表示パネル１１０とを備えて構成される。また、図示は省略するが拡声用スピーカを備える。
【００２５】
表示パネル１１０は、ドットマトリクス構成の横長ＬＣＤディスプレイで構成される。ＬＣＤディスプレイに代えて、有機ＥＬ（Electro Luminescence）表示装置、ＰＤＰ（Plasma Display Panel）装置、ＣＲＴ表示装置、プロジェクタ式表示装置等を使用可能である。表示パネル１１０には、後部座席の観視者のための各種画面、例えば表示機能の動作状態を示すアイコン等が表示される。また、リモコン機能モード時やビデオ出力機能モード時には、各種操作情報や音量調整ＧＵＩ（Graphical User Interface）が表示される。
【００２６】
操作部１２０は、リモコン、エスカッションボタン、車載ＬＡＮ（Local Area Network）による観視者位置設定、画像ソースによる画面表示処理のＯＮ・ＯＦＦ設定を入力する。
【００２７】
制御部５００は、マイクロプロセッサからなり、図９に後述する画像ソースによる画面表示処理を実行して、入力検出部５３０，５４０からの入力検出情報（入力の有無、画像終了、入力数）及び解像度検出部５５０，５６０からのソースの解像度情報を取得するとともに、記憶部５１０から各種設定情報及び解像度−拡大縮小テーブル５１０ａを参照して、ソースの解像度に応じた拡大縮小率を取得し、さらに記憶部５１０から表示パネル１１０の解像度を読み込んで黒画素挿入位置・挿入数を算出し、２画面合成部５９０に指示する制御を行う。
【００２８】
記憶部５１０は、表示パネル１１０の解像度を記憶するとともに、解像度に対応する拡大縮小率を格納する解像度−拡大縮小テーブル５１０ａを備え、制御部５００により参照される。記憶部５１０は、制御プログラムや固定データ等を記憶するＲＯＭ，マイクロプロセッサの作業用記憶領域であるＲＡＭ等の半導体メモリなどからなる。また外部メモリとしてＳＤカード、ＨＤＤなどの記憶媒体を備える構成であってもよい。ＲＯＭは、制御部５００が動作する際に必要なプログラム、表示制御データ等の固定データを記憶する読出し専用の半導体メモリである。ＲＡＭは、画像ソースによる画面表示処理に関するデータ、及び演算結果等を一時的に記憶するいわゆるワーキングメモリとして使用される。表示装置１００で処理されるプログラムは、このＲＡＭに展開されて実行される。また、ＲＡＭの一部は、電気的に書換可能な不揮発性メモリであるＥＥＰＲＯＭ（electrically erasable programmable ROM）からなり、ＥＥＰＲＯＭに書き込むプログラムを変えることによって、特に表示装置１００における各種の仕様を変更することができる。
【００２９】
観視者位置読出部５２０は、着座センサ３０１，３０２により検出した電圧値を観視者位置情報Ｉｐとして読み出す。観視者位置読出部５２０は、観視者位置を検出できるものであればよく、例えば着座センサ３０１，３０２に代えて、あるいは併用して、シートベルトの検知信号の電圧値読出し、ＣＣＤ（Charge Coupled Device）カメラ及び画像認識エンジンによる画像認識のデジタル情報読出しであってもよい。また、リモコン，エスカッションボタンなどによる手動入力、さらに前席ナビ（運転席ナビゲーション装置）への入力（この入力は車載ＬＡＮにより接続する）による読出しも含まれる。
【００３０】
入力検出部５３０（入力検出部<１>）は、画像入力端子１０１に入力される画像１の入力信号を検出し、入力の有無及び画像の終了を制御部５００へ通知する。入力検出部５４０（入力検出部<２>）は、画像入力端子１０２に入力される画像２の入力信号を検出し、入力の有無及び画像の終了を制御部５００へ通知する。
【００３１】
解像度検出部５５０（解像度検出部<１>）は、画像入力端子１０１に入力される画像１の解像度を検出し、検出した解像度情報Ｉｐ１を制御部５００に送る。解像度検出部５６０（解像度検出部<２>）は、画像入力端子１０２に入力される画像２の解像度を検出し、検出した解像度情報Ｉｐ２を制御部５００に送る。
【００３２】
画像処理部５７０，５８０は、例えばＤＳＰ（Digital Signal Processor）などからなり制御部５００から画像処理パラメータＶｃ１，Ｖｃ２を取得し、画像入力端子１０１，１０２に入力される画像信号Ｓｉ１，Ｓｉ２を取り込み、画像処理パラメータＶｃ１，Ｖｃ２に従って１画素ずつ信号処理する。
【００３３】
２画面合成部５９０は、画像処理部５７０，５８０から出力される処理後画像信号を画面合成する。また、２画面合成部５９０は、制御部５００から１画面表示指示により黒画素挿入位置と挿入数を取得して拡大縮小後の画像に挿入し、画像の解像度の水平垂直の拡大縮小率を取得して拡大縮小を行う。この場合、黒画素設定が指示されていると、黒画素を設定位置に設定挿入数挿入した上で、黒画素挿入に合わせて拡大縮小された画像１が１画面フル表示合成する。
【００３４】
図４乃至図８は、記憶部５１０に記憶されている設定記憶情報の一例を示す図である。設定記憶情報の一部はルックアップテーブルとして記憶される。
【００３５】
図４は、ディスプレイに表示する画像の設定記憶情報を示す図である。選択画像は、選択画像１と選択画像２があり、表示パネル１１０に２画面表示する画像ソースとして、ＣＤ／ＤＶＤ再生、ＴＶ１、ＴＶ２、外部信号入力がある。
【００３６】
図５は、ディスプレイに表示するディスプレイ出力設定の設定記憶情報を示す図である。ディスプレイ出力設定は、選択画像１、選択画像２、選択画像１及び選択画像２、選択画像２及び選択画像１のいずれかを選択する。このディスプレイ出力設定により、上記選択画像１と選択画像２の単独、又はその組み合わせが設定される。
【００３７】
図６は、表示方法の設定記憶情報を示す図である。１画面表示設定は、１画面で表示する際の表示方法を設定する。１画面表示には、フル、ノーマル、着座席フル、着座席ノーマルがある。２画面表示設定は、２画面で表示する際の表示方法を設定する。２画面表示には、２画面フル、２画面ノーマル、２画面着座席フルがある。
【００３８】
図７は、１ソース入力時設定記憶情報を示す図であり、１ソースのみが入力された際の表示方法を設定する。１ソース入力時設定では、１画面表示、２画面表示のいずれかを設定する。
【００３９】
図８は、黒画設定記憶情報を示す図であり、黒バーの挿入方法を設定する。画像表示の隙間に挿入される黒バーの縦、横、幅、及び高さを設定する。
【００４０】
以下、上述のように構成された表示装置の動作について説明する。
【００４１】
図９は、画像ソースによる画面表示処理のプログラムを示すフローチャートであり、制御部５００を構成するマイクロプロセッサにより実行される。図中、Ｓはフローの各ステップを示す。
【００４２】
まず、ステップＳ１で記憶部５１０に記憶されているディスプレイ出力設定（図５）を参照し、ステップＳ２で参照したディスプレイ出力設定を判別する。ディスプレイ出力設定は、選択画像１、選択画像２、選択画像１及び選択画像２、選択画像２及び選択画像１がありいずれが設定されているか判別する。選択画像１，２は、例えばＣＤ／ＤＶＤ再生、ＴＶ１、ＴＶ２、外部信号入力である。上記ステップＳ２でディスプレイ出力設定により選択画像１又は選択画像２が設定されている場合には、ステップＳ３で１画面表示処理を行って本フローを終了する。上記１画面表示処理は、通常時に繰り返し実行されるサブルーチンである。２画面合成部５９０は、１画面表示処理による制御信号を受けて画像処理部５７０，５８０から出力される処理後画像信号を画面合成する。
【００４３】
上記ステップＳ２で２つの画像ソースの組み合わせ（選択画像１及び選択画像２又は選択画像２及び選択画像１）が設定されている場合には、ステップＳ４でその選択画像の２画面表示状態を保ち、ステップＳ５で選択画像１が未入力／終了か、あるいは選択画像２が未入力／終了かを判別する。選択画像１，２が未入力／終了でないときは、ステップＳ４に戻って２画面表示状態を保つ。
【００４４】
選択画像１が未入力／終了か、あるいは選択画像２が未入力／終了のときは、ステップＳ６で１ソース入力時設定（図７）を参照し、ステップＳ７で１ソース入力時設定が２画面表示か１画面表示かを判別する。１ソース入力時設定が２画面表示のときは、画像ソースによる画面表示は設定されていないと判断してそのまま本フローを終了する。
【００４５】
１ソース入力時設定が１画面表示のときは、ステップＳ８で表示設定（図６）の１画面表示設定を参照し、ステップＳ９で１画面表示設定がフル、ノーマル、着座席フル、着座席ノーマルのいずれかであるかを判別する。１画面表示設定が着座席ノーマル又は着座席フルのときは、ステップＳ１０で着座席表示処理を行って本フローを終了する。着座席表示処理は、観視者位置読出部５２０からの観視者位置を基に、観視者の着座席に合わせた表示制御などを行うサブルーチンである。
【００４６】
１画面表示設定がノーマル表示又はフル表示のときは、ステップＳ１１で拡大率を算出するとともに、黒画設定（図８）を参照して前記拡大率に合わせて黒画挿入数を算出して本フローを終了する。
【００４７】
図１０は、上記表示装置１００の表示例を説明する図である。図１０において、表示装置１００は、縦４８０ドット×横１６００（８００＋８００）ドットの横長表示パネル１１０を備え、表示パネル１１０に２つの入力画像（画像１，画像２）が２画面１１１，１１２にそれぞれ表示され、左座席の観視者が観視する画面１１１には画像１が、右座席の観視者が観視する画面１１２には画像２が表示されている。
【００４８】
図１０（ａ）では、表示パネル１１０に２つの入力画像（画像１，画像２）が２画面１１１，１１２にそれぞれ表示され、左座席の観視者が観視する画面１１１には画像１が、右座席の観視者が観視する画面１１２には画像２が表示されている。
【００４９】
いま、画像２が終了したときなど入力画像２の信号入力がなくなると、図１０（ｂ）に示すように、いままで画像２が表示されていた画面１１２を含む１画面全体に、画像１の画像が、表示パネル１１０の解像度に合わせて拡大縮小され、拡大縮小された画像１が１画面フル表示される。この場合、黒画素設定が指示されていると、黒画素を設定位置に設定挿入数挿入した上で、黒画素挿入に合わせて拡大縮小された画像１が１画面フル表示される。これにより、例えば、ＤＶＤ再生の終了などで画像２の入力がなくなると、ＤＶＤ再生が終了後の画面１１２がそのまま黒画面として残るのではなく、画像１の画像（ＴＶ）が表示パネル１１０全体に１画面フル表示される。
【００５０】
以上のように、本実施の形態によれば、表示装置１００の制御部５００は、入力検出部５３０，５４０からの入力検出情報（入力の有無、画像終了、入力数）及び解像度検出部５５０，５６０からのソースの解像度情報を取得するとともに、記憶部５１０から各種設定情報及び解像度−拡大縮小テーブル５１０ａを参照して、ソースの解像度に応じた拡大縮小率を取得し、さらに記憶部５１０から表示パネル１１０の解像度を読み込んで黒画素挿入位置・挿入数を算出して２画面合成部５９０に指示し、２画面合成部５９０は、制御部５００から１画面表示指示により黒画素挿入位置と挿入数を取得して拡大縮小後の画像に挿入し、画像の解像度の水平垂直の拡大縮小率を取得して拡大縮小を行うので、信号入力がされていないことを受けて信号が入力されている画像を伸張して表示パネル１１０の全体に表示されることになり、ＤＶＤ再生の終了、ＴＶのＯＦＦなどで一方の入力画像信号がなくなる場合であっても、信号が入力されている画像は、自動的に１画面フル表示され、表示パネル１１０の大画面表示を有効利用することで、画像入力が継続している画像についてパノラミック画像による迫力のある画像を表示することができる。
【００５１】
また、本実施の形態では、操作部１２０により観視者が表示設定や１ソース入力時設定、黒画設定などを設定可能に構成しているので、観視者の要望に合わせて最適な画像を表示することができる。
【００５２】
（実施の形態２）
図１１は、本発明の実施の形態２に係る表示装置の構成を示すブロック図である。図３と同一構成部分には同一符号を付して重複箇所の説明を省略する。
【００５３】
図１１において、表示装置６００は、入力検出部５３０，５４０からの入力検出情報及び解像度検出部５５０，５６０からのソースの解像度情報を取得するとともに、記憶部５１０から各種設定情報及び解像度−拡大縮小テーブル５１０ａを参照して画像ソースによる画面表示処理を行って２画面合成部５９０の画像合成を制御する制御部６１０と、左座席側に設置され、主に左観視者によるボタンスイッチの押下等の操作情報を出力する操作部６２０（操作部<１>）と、右座席側に設置され、主に右観視者によるボタンスイッチの押下等の操作情報を出力する操作部６３０（操作部<２>）と、入力音声信号をデジタル信号処理する音声合成ＬＳＩからなる音声合成部６４０とをさらに備えて構成される。音声合成部６４０は、２つの音声からの選択と、音声の合成、出力デバイス（スピーカ、ヘッドホン）の設定により音声合成を行う。また、記憶部５１０は、以下の音声設定情報及び操作権設定情報を記憶する。
【００５４】
図１２乃至図１４は、記憶部５１０に記憶されている設定記憶情報の一例を示す図である。設定記憶情報の一部はルックアップテーブルとして記憶される。
【００５５】
図１２は、再生する音声の設定記憶情報を示す図である。選択音声は、選択音声１と選択音声２があり、ＣＤ／ＤＶＤ、ＴＶ１、ＴＶ２、外部信号入力を設定する。
【００５６】
図１３は、スピーカ又はヘッドホンに出力する音声出力設定の設定記憶情報を示す図である。音声出力設定は、スピーカ出力設定、ヘッドホン１出力設定、ヘッドホン２出力設定、及び音声合成割合設定である。音声合成割合設定は、音声ミックスの合成割合を設定し、それ以外の出力設定は、選択音声１、選択音声２、ミックスを設定する。
【００５７】
図１４は、操作権の設定記憶情報を示す図である。操作件設定には、１画面表示時操作権設定、２画面表示時操作権設定（画面１）、２画面表示時操作権設定（画面２）、及び操作優先度設定があり、それぞれ、操作人１、操作人２、前席（運転席ナビ）のいずれかを設定する。
【００５８】
以下、上述のように構成された表示装置の動作について説明する。
【００５９】
図１５は、画像ソースによる画面表示処理のプログラムを示すフローチャートであり、制御部６１０を構成するマイクロプロセッサにより実行される。図中、Ｓはフローの各ステップを示す。図９に示すフローと同一処理を行うステップには同一ステップ番号を付して説明を省略する。
【００６０】
ステップＳ３、ステップＳ１０、あるいはステップＳ１１を処理すると、ステップＳ２１で操作優先権（図１４）を参照し、操作優先権設定がなければ、ステップＳ２２で全操作有効設定し、操作優先権設定があればそのままステップＳ２３に進む。
【００６１】
ステップＳ２３では、１ソース入力字音声設定を判別し、スピーカ出力する場合はステップＳ２４で音声スピーカ出力を設定して本フローを終了し、スピーカ出力しない場合はそのまま本フローを終了する。音声合成部６４０は、２つの音声からの選択と、音声の合成、出力デバイス（スピーカ、ヘッドホン）の設定により音声合成を行う。
【００６２】
したがって、本実施の形態にあっても、信号入力がされていないことを受けて信号が入力されている画像を伸張して表示パネル１１０の全体に表示されることになり、実施の形態２と同様の効果、すなわち、一方の入力画像信号がなくなった場合に、信号が入力されている画像を自動的に１画面フル表示することができ、パノラミック画像による迫力のある画像を表示することができる。
【００６３】
また、観視者の設定に合わせて、２つの音声からの選択、音声の合成、出力デバイス（スピーカ、ヘッドホン）の音声合成が可能になる。
【００６４】
以上の説明は本発明の好適な実施の形態の例証であり、本発明の範囲はこれに限定されることはない。例えば、車両の後部座席から観視する表示装置に適用した例について説明しているが、同様の他の車両に搭載するものでもよい。
【００６５】
また、本実施の形態では表示装置という名称を用いたが、これは説明の便宜上であり、車載用表示装置、車載用電子機器等であってもよいことは勿論である。
【００６６】
さらに、上記表示装置を構成する各回路部、例えば入力検出部、解像度検出部等の種類、数及び接続方法などは前述した実施の形態に限られない。
【００６７】
また、以上説明した表示装置は、この表示装置を機能させるためのプログラムでも実現される。このプログラムはコンピュータで読み取り可能な記録媒体に格納されている。
【産業上の利用可能性】
【００６８】
本発明に係る表示装置は、車両の車室内に設置される車載用表示装置として有用である。また、１画面及び２画面表示時観視者位置による設定、操作権設定操作を行うことができるため、利便上有用である。また、表示部と操作部を含む表示装置を複数持つ製品等の用途にも応用できる。また、車室以外にも、横長表示パネルを有する表示装置に好適である。
【図面の簡単な説明】
【００６９】
【図１】本発明の実施の形態１に係る表示装置の外観構成を示す正面図
【図２】上記実施の形態１に係る表示装置を上方から見た模式図
【図３】上記実施の形態１に係る表示装置の構成を示すブロック図
【図４】上記実施の形態１に係る表示装置のディスプレイに表示する画像の設定記憶情報を示す図
【図５】上記実施の形態１に係る表示装置のディスプレイに表示するディスプレイ出力設定の設定記憶情報を示す図
【図６】上記実施の形態１に係る表示装置の表示方法の設定記憶情報を示す図
【図７】上記実施の形態１に係る表示装置の１ソース入力時設定記憶情報を示す図
【図８】上記実施の形態１に係る表示装置の黒画設定記憶情報を示す図
【図９】上記実施の形態１に係る表示装置の画像ソースによる画面表示処理のプログラムを示すフロー図
【図１０】上記実施の形態１に係る表示装置の表示例を説明する図
【図１１】本発明の実施の形態２に係る表示装置の構成を示すブロック図
【図１２】上記実施の形態２に係る表示装置の再生する音声の設定記憶情報を示す図
【図１３】上記実施の形態２に係る表示装置のスピーカ又はヘッドホンに出力する音声出力設定の設定記憶情報を示す図
【図１４】上記実施の形態２に係る表示装置の操作権の設定記憶情報を示す図
【図１５】上記実施の形態２に係る表示装置の画像ソースによる画面表示処理のプログラムを示すフロー図
【図１６】従来の車両の車室内で複数の画像を表示可能な表示装置の表示例を説明する図
【符号の説明】
【００７０】
１００，６００  表示装置
１０１  画像入力端子
１０２  画像入力端子
１１０  表示パネル
１２０  操作部
２００  後部座席
３０１，３０２  着座センサ
５００  制御部
５１０，６１０  記憶部
５１０ａ  解像度−拡大縮小テーブル
５２０  観視者位置読出部
５３０  入力検出部（入力検出部<１>）
５４０  入力検出部（入力検出部<２>）
５５０  解像度検出部（解像度検出部<１>）
５６０  解像度検出部（解像度検出部<２>）
５７０  画像処理部（画像処理部<１>）
５８０  画像処理部（画像処理部<２>）
５９０  ２画面合成部
６２０  操作部（操作部<１>）
６３０  操作部（操作部<２>）
６４０  音声合成部
【図１】
2007292812.tif 000003
【図２】
2007292812.tif 000004
【図３】
2007292812.tif 000005
【図４】
2007292812.tif 000006
【図５】
2007292812.tif 000007
【図６】
2007292812.tif 000008
【図７】
2007292812.tif 000009
【図８】
2007292812.tif 000010
【図９】
2007292812.tif 000011
【図１０】
2007292812.tif 000012
【図１１】
2007292812.tif 000013
【図１２】
2007292812.tif 000014
【図１３】
2007292812.tif 000015
【図１４】
2007292812.tif 000016
【図１５】
2007292812.tif 000017
【図１６】
2007292812.tif 000018